(57)【要約】【課題】ボイスコイルの振動ストロークを大きく確保して高出力のスピーカ装置を実現することができること。比較的簡易に磁気ギャップ内での磁束密度を最適化できること。【解決手段】内側マグネット１１と、外側マグネット１２と、第一支持面１３ａと第二支持面１３ｂとを有すると共に磁気ギャップ１０Ｇの後方に第一支持面１３ａ及び第二支持面１３ｂに対して後方に窪んだ空間１３Ｓを形成するヨーク１３と、内側プレート１４と、外側プレート１５と、を備え、ヨーク１３の第一支持面１３ａと第二支持面１３ｂとを内側マグネット１１の前面１１ａと外側マグネット１２の前面１２ａとが同一面上になるように設定し、内側マグネット１１と外側マグネット１２の各前面の直前に磁気ギャップ１０Ｇを形成する。【選択図】図２
2008085577.tif 000002
【特許請求の範囲】
【請求項１】
音声電流が流れるボイスコイルを振動させる磁気ギャップを形成する磁気回路であって、
前記磁気ギャップの内側に配置され前後方向に極性を有する内側マグネットと、
前記内側マグネットを囲むように前記磁気ギャップの外側に配置され前記内側マグネットと逆方向の極性を有する外側マグネットと、
前記内側マグネットの後面を支持する第一支持面と前記外側マグネットの後面を支持する第二支持面とを有すると共に前記磁気ギャップの後方に前記第一支持面及び前記第二支持面に対して後方に窪んだ空間を形成するヨークと、
前記内側マグネットの前面に配置される内側プレートと、
該内側プレートの外周に前記磁気ギャップを形成するように前記外側マグネットの前面に配置される外側プレートと、を備え、
前記ヨークの第一支持面と第二支持面とを前記内側マグネットの前面と前記外側マグネットの前面とが同一面上になるように設定し、前記内側マグネットと前記外側マグネットの各前面の直前に前記磁気ギャップを形成することを特徴とするスピーカ用磁気回路。
【請求項２】
前記内側マグネットは円柱状又は中央が貫通した円筒状であり、前記外側マグネットは円環状であって、前記内側マグネットと前記外側マグネットは同心状に配置されることを特徴とする請求項１に記載されたスピーカ用磁気回路。
【請求項３】
音声電流が流れるボイスコイルが巻き回されたボイスコイルボビンと、
内周縁が前記ボイスコイルボビンに連結されると共に外周縁がフレームに連結される振動体と、
前記振動体を振動させる磁気回路を備えたスピーカ装置であって、
前記磁気回路は、
前記ボイスコイルを振動させる磁気ギャップを形成し、
前記磁気ギャップの内側に配置され前後方向に極性を有する内側マグネットと、前記内側マグネットを囲むように前記磁気ギャップの外側に配置され前記内側マグネットと逆方向の極性を有する外側マグネットと、前記内側マグネットの後面を支持する第一支持面と前記外側マグネットの後面を支持する第二支持面とを有すると共に前記磁気ギャップの後方に前記第一支持面及び前記第二支持面に対して後方に窪んだ空間を形成するヨークと、前記内側マグネットの前面に配置される内側プレートと、該内側プレートの外周に前記磁気ギャップを形成するように前記外側マグネットの前面に配置される外側プレートと、を備え、
前記ヨークの第一支持面と第二支持面とを前記内側マグネットの前面と前記外側マグネットの前面とが同一面上になるように設定し、前記内側マグネットと前記外側マグネットの各前面の直前に前記磁気ギャップを形成することを特徴とするスピーカ装置。
【請求項４】
前記振動体は、前記内周縁と前記外周縁の間に頂部が形成され、前記頂部に比べて前記内周縁及び前記外周縁が前側に位置することを特徴とする請求項３に記載されたスピーカ装置。
【請求項５】
前記振動体には、前記振動体の半径方向に延在する補強用リブが形成されていることを特徴とする請求項３又は４に記載されたスピーカ装置。
【請求項６】
前記振動体の頂部を前記フレームに支持するダンパを設けることを特徴とする請求項３〜５のいずれかに記載されたスピーカ装置。
【請求項７】
前記磁気回路は、前記振動体の頂部より内側に配置されることを特徴とする請求項４〜６のいずれかに記載されたスピーカ装置。
【発明の詳細な説明】
【技術分野】
【０００１】
本発明は、スピーカ用磁気回路及びスピーカ装置に関するものである。
【背景技術】
【０００２】
スピーカ装置は、電気信号を音響信号に変換するものであって、磁気回路に形成された磁気ギャップ内にボイスコイルを配置し、ボイスコイルに流れる音声電流によって発生する電磁気力を駆動力としてボイスコイルを振動させ、ボイスコイルが巻かれたボイスコイルボビン及びそれに接続された振動体を振動させて音を放射するものである。
【０００３】
磁気回路は、磁気ギャップ（磁極間隙）内に均一な磁束を供給するためにマグネット（永久磁石）にプレート，ヨーク等の磁性材料からなる構成部材を接続して形成される。磁気ギャップの内側にマグネットを配置したものが内磁型磁気回路、磁気ギャップの外側にマグネットを配置したものが外磁型磁気回路と呼ばれている。
【０００４】
スピーカ用の磁気回路は、小型で且つ高い駆動力が得られるように磁気ギャップ内での磁束密度を高くすることが求められており、これを達成するために磁気ギャップの内外両方にマグネットを配置することが行われている。下記特許文献１には、図１に示すように、筒状の外側マグネットＪ１、その外側マグネットＪ１の内側に同心状に位置する円筒状又は円柱状の内側マグネットＪ２、外側マグネットＪ１と内側マグネットＪ２の後面に密着してこれらを一体に保持する後面ヨークＪ３、外側マグネットＪ１の前面に密着する環状の前面外側ヨークＪ４及び内側マグネットＪ２の前面に密着して前面外側ヨークＪ４との間に磁気ギャップＧを形成する円環状又は円板状の前面内側ヨークＪ５からなり、外側マグネットＪ１の前後面の極性と内側マグネットＪ２の前後面の極性とが逆になっている磁気回路が記載されている。
【０００５】
また、この従来技術は、各ヨークに凹部Ｊ３ａ，Ｊ３ｂ，Ｊ４ａ，Ｊ５ａを形成しており、この凹部に外側マグネットＪ１又は内側マグネットＪ２を嵌着して位置決めすることで、各マグネットから近い位置に磁気ギャップＧを形成している。
【０００６】
【特許文献１】実開昭５８−５９９号公報
【発明の開示】
【発明が解決しようとする課題】
【０００７】
前述した従来のスピーカ用磁気回路によると、外側マグネットＪ１と内側マグネットＪ２の組み合わせによって、磁束密度の高い磁気ギャップＧを形成することができ、高出力のスピーカを得ることができる。
【０００８】
しかしながら、この従来技術では、外側マグネットＪ１と内側マグネットＪ２の後面を平板状の後面ヨークＪ３で支持しているのみであるから、磁気ギャップ下のボイスコイル可動範囲となる空間が外側マグネットＪ１或いは内側マグネットＪ２の高さで規制されてしまい大きな空間にすることができない。これによって、内外両方にマグネットを配置して高出力を得ることができようにしても、ボイスコイルの振動ストロークを十分に確保できず、実質的に高出力のスピーカを得ることができない問題があり、特にボイスコイルの振動ストロークが大きくなる低音域の高出力スピーカには採用できない問題があった。
【０００９】
また、外側マグネットＪ１の前面に配置される前面外側ヨークＪ４と内側マグネットＪ２の前面に配置される前面内側ヨークＪ５との間に磁気ギャップＧが形成される構造であり、各ヨークの凹部Ｊ４ａ，Ｊ５ａに各マグネットＪ１，２を位置決めしてマグネットと近い位置に磁気ギャップＧを形成しているので、例えば、外側マグネットＪ１と内側マグネットＪ２の前面位置がずれているような場合には、磁気ギャップＧの位置を適正化するために各凹部Ｊ４ａ，Ｊ５ａの深さを別個に設定する必要があり、前面内側ヨークと前面外側ヨークのそれぞれに高い加工精度が求められ、製造上の煩雑さを招くと共に簡易に最大の磁束密度が得られる磁気ギャップを形成することができないという問題があった。
【００１０】
本発明は、このような問題点に対処するために提案されたものであって、スピーカ用磁気回路及びそれを用いたスピーカ装置において、ボイスコイルの振動ストロークを大きく確保して高出力のスピーカ装置を実現することができること、比較的簡易に磁気ギャップ内での磁束密度を最適化できること、等を目的とするものである。
【課題を解決するための手段】
【００１１】
このような目的を達成するために、本発明によるスピーカ用磁気回路及びスピーカ装置は、以下の各独立請求項に係る構成を少なくとも具備するものである。
【００１２】
［請求項１］音声電流が流れるボイスコイルを振動させる磁気ギャップを形成する磁気回路であって、前記磁気ギャップの内側に配置され前後方向に極性を有する内側マグネットと、前記内側マグネットを囲むように前記磁気ギャップの外側に配置され前記内側マグネットと逆方向の極性を有する外側マグネットと、前記内側マグネットの後面を支持する第一支持面と前記外側マグネットの後面を支持する第二支持面とを有すると共に前記磁気ギャップの後方に前記第一支持面及び前記第二支持面に対して後方に窪んだ空間を形成するヨークと、前記内側マグネットの前面に配置される内側プレートと、該内側プレートの外周に前記磁気ギャップを形成するように前記外側マグネットの前面に配置される外側プレートと、を備え、前記ヨークの第一支持面と第二支持面とを前記内側マグネットの前面と前記外側マグネットの前面とが同一面上になるように設定し、前記内側マグネットと前記外側マグネットの各前面の直前に前記磁気ギャップを形成することを特徴とするスピーカ用磁気回路。
【００１３】
［請求項３］音声電流が流れるボイスコイルが巻き回されたボイスコイルボビンと、内周縁が前記ボイスコイルボビンに連結されると共に外周縁がフレームに連結される振動体と、前記振動体を振動させる磁気回路を備えたスピーカ装置であって、前記磁気回路は、前記ボイスコイルを振動させる磁気ギャップを形成し、前記磁気ギャップの内側に配置され前後方向に極性を有する内側マグネットと、前記内側マグネットを囲むように前記磁気ギャップの外側に配置され前記内側マグネットと逆方向の極性を有する外側マグネットと、前記内側マグネットの後面を支持する第一支持面と前記外側マグネットの後面を支持する第二支持面とを有すると共に前記磁気ギャップの後方に前記第一支持面及び前記第二支持面に対して後方に窪んだ空間を形成するヨークと、前記内側マグネットの前面に配置される内側プレートと、該内側プレートの外周に前記磁気ギャップを形成するように前記外側マグネットの前面に配置される外側プレートと、を備え、前記ヨークの第一支持面と第二支持面とを前記内側マグネットの前面と前記外側マグネットの前面とが同一面上になるように設定し、前記内側マグネットと前記外側マグネットの各前面の直前に前記磁気ギャップを形成することを特徴とするスピーカ装置。
【発明を実施するための最良の形態】
【００１４】
以下、本発明の実施形態を図面を参照しながら説明する。図２は本発明の一実施形態に係るスピーカ用磁気回路を示す説明図であって、同図（ａ）は部分断面斜視図、同図（ｂ）は縦断面図である。
【００１５】
スピーカ用磁気回路１０は、内側マグネット１１、外側マグネット１２、ヨーク１３、内側プレート１４、外側プレート１５を基本構成として、音声電流が流れるボイスコイル（図示省略）を振動させる磁気ギャップ１０Ｇを内側プレート１４の外周と外側プレート１５の内周との間に形成するものである（なお、以下の説明で前後の方向は、スピーカ装置に設置された場合に音を放射する方向を「前」とし、その逆側を「後」として説明する。）。
【００１６】
内側マグネット１１は、磁気ギャップ１０Ｇの内側に配置され、前後方向に極性（図示の例では前側がＮ極で後側がＳ極）を有する永久磁石であり、外側マグネット１２は、内側マグネット１１を囲むように磁気ギャップ１０Ｇの外側に配置され、内側マグネットと逆方向の極性（図示の例では前側がＳ極で後側がＮ極）を有する永久磁石である。
【００１７】
ヨーク１３は、磁気回路１０を形成するための磁性材料部材であって、内側マグネット１１の後面を支持する第一支持面１３ａと外側マグネット１２の後面を支持する第二支持面１３ｂとを有すると共に、磁気ギャップ１０Ｇの後方に第一支持面１３ａ及び第二支持面１３ｂに対して後方に窪んだ空間１３Ｓを形成している。
【００１８】
図示したヨーク１３は、中央部の底面１３ｃが底上げされ、内側マグネット１１の後面から外側マグネット１２の後面に至る断面が略Ｕ字状の磁力線経路を形成する例を示しているが、特にこの形態に限定されるものではない。
【００１９】
そして、ヨーク１３の第一支持面１３ａと第二支持面１３ｂとを内側マグネット１１の前面１１ａと外側マグネット１２の前面１２ａとが同一面上になるように設定し、内側マグネット１１と外側マグネット１２の各前面１１ａ，１２ａの直前に磁気ギャップ１０Ｇが形成されるように、内側マグネット１１上に内側プレート１４を配置すると共に外側マグネット１２上に外側プレート１５を配置して、内側プレート１４と外側プレート１５との間に磁気ギャップ１０Ｇを形成している。
【００２０】
この場合、内側マグネット１１と外側マグネット１４の個々の高さ（厚さ）は、磁気回路の設計上異なることがあるが、内側マグネット１１と外側マグネット１４の各高さを考慮に入れて、ヨーク１３の第一支持面１３ａと第二支持面１３ｂの位置関係を設定しており、ヨーク１３が内側マグネット１１と外側マグネット１２とを支持した状態で、内側マグネット１１の前面１１ａと外側マグネット１２の前面１２ａが同一平面上になるようにしている。
【００２１】
また、図示の実施形態では、内側マグネット１１は中央が貫通した円筒状であり、外側マグネット１２は円環状であって、内側マグネット１１と外側マグネット１２は同心状に配置されている。更に、この図示の実施形態では、磁気回路１０の前方から後方に至る通気貫通穴が形成されるように、内側プレート１４，内側マグネット１１，ヨーク１３の中央に前後に至る貫通穴が形成されている。この貫通穴を必要としない場合には、内側マグネット１１は円柱状に形成してもよい。
【００２２】
このような磁気回路１０の一つの特徴は、内側マグネット１１と外側マグネット１２とをそれぞれ支持する第一支持面１３ａと第二支持面１３ｂとを有するヨーク１３が磁気ギャップ１０Ｇの後方に空間１３Ｓを形成している点にある。空間１３Ｓは、磁気ギャップ１０Ｇの後方に沿ってボイスコイル（或いはボイスコイルボビン）の振動ストロークを確保するように形成されており、これによって大出力時の大きなボイスコイルの振動を可能にしている。
【００２３】
すなわち、このような構成の磁気回路１０によると、内側マグネット１１と外側マグネット１２の磁力によって、磁気ギャップ１０Ｇに高い磁束密度の磁場を形成することができ、更に、磁気ギャップ１０Ｇの後方に形成される空間１３Ｓによってボイスコイルの大きな振動ストロークを確保することができるので、大出力の駆動を実現することができ、特に、ボイスコイルの振動ストロークが大きくなる低音域の高出力スピーカに適した磁気回路を形成することができる。
【００２４】
また、このような実施形態に係る磁気回路１０の他の特徴は、内側マグネット１１と外側マグネット１２の各前面１１ａ，１２ａが同一面上に設定されるようにヨーク１３の第一支持面１３ａと第二支持面１３ｂを設定して、その各前面１１ａ，１２ａの直前に磁気ギャップ１０Ｇを形成している点にある。
【００２５】
これによると、同一面上になる内側マグネット１１と外側マグネット１２の各前面１１ａ，１２ａの直前に磁気ギャップ１０Ｇが形成されているので、各前面１１ａ，１２ａから磁気ギャップ１０Ｇに至る磁力線経路を均一化することでき、一方の前面１１ａ（１２ａ）から磁気ギャップ１０Ｇを介して他方の前面１２ａ（１１ａ）に至る磁力線を短くすることができるので大きな磁束密度を磁気ギャップ１０Ｇに形成することができる。そして、この際、この磁気ギャップ１０Ｇの状態は、単一部材であるヨーク１３の成形精度（第一支持面１３ａと第二支持面１３ｂの位置関係の成形精度）のみによって実現することができる。
【００２６】
つまり、内側マグネット１１と外側マグネット１２の各前面１１ａ，１２ａが同一面上に無い場合に、磁気ギャップ１０Ｇの位置を最適化しようとすると、各前面１１ａ，１１ｂに対して直近に磁気ギャップ１０Ｇを位置させるために、従来技術のような凹部を形成して内側及び外側のマグネットを位置決めする必要がある。この場合には、内側プレート１４及び外側プレート１５の高い成形精度が要求されることになり、２つの部材で高い成形精度が要求されるので、製造が煩雑且つ困難になる。
【００２７】
これに対して、この実施形態では、内側マグネット１１と外側マグネット１２の各前面１１ａ，１２ａが同一面上に設定されるようにヨーク１３の第一支持面１３ａと第二支持面１３ｂを設定して、それらの上に内側プレート１４及び外側プレート１５をそれぞれ配置するだけで、マグネットに直近の位置に磁気ギャップ１０Ｇを形成できるので、最適な磁気ギャップ１０Ｇを形成するために内側プレート１４及び外側プレート１５の成形精度は要求されず、単一部材であるヨーク１３のみの成形精度が要求されることになる。よって、比較的簡易な製造で最適化された磁気ギャップを形成することができる。
【００２８】
図３は、本発明の実施形態に係る磁気回路の機能を示す説明図である。磁気回路１０は、内側マグネット１１の前面から出た磁束が内側プレート１４及び外側プレート１５間に形成される磁気ギャップ１０Ｇを経由して外側マグネット１２の前面に至り、外側マグネット１２の後面から出た磁束がヨーク１３によって形成されるＵ字状経路を介して内側マグネット１１の後面に至る磁束分布Ｂ１を形成し、磁気ギャップ１０Ｇの前方に内側プレート１４の前面から外側プレート１５の前面に至る漏洩磁束Ｂ２を形成する。
【００２９】
したがって、同図（ａ）に示すように、磁気ギャップ１０Ｇ内に配置されるボイスコイル２０に紙面の裏側から表側に向けた音声電流が流れると前方に向けた矢印Ｆ方向に力が作用して、ボイスコイル２０が巻かれたボイスコイルボビン２１を矢印Ｆ方向に振動させることになり、その逆方向の音声電流が流れると矢印Ｆとは逆方向にボイスコイルボビン２１を振動させることになる。この際、ヨーク１３によって磁気ギャップ１０Ｇの後方に空間１３Ｓが形成されているので、ボイスコイル２０の後方への振動ストロークを図示の長さＬの範囲で有効に確保することができる。
【００３０】
また、同図（ｂ）に示すように、ボイスコイル２０が磁気ギャップ１０Ｇの前方に外れた場合にも、漏洩磁束Ｂ２は磁気ギャップ１０Ｇ内の磁束と同方向に形成されているので、ボイスコイル２０の矢印方向の動きに制動力が作用することはなく、ボイスコイル２０の前方への振動ストロークを有効に確保することができる。
【００３１】
そして、内側マグネット１１と外側マグネット１２の各前面を同一平面上になるように設定し、その直前に磁気ギャップ１０Ｇを形成することで、内側マグネット１１の前面又は外側マグネット１２の前面から前方に離れた位置に磁気ギャップ１０Ｇを形成する場合と比較して、磁気ギャップ１０Ｇ内の磁束を高めることができる。
【００３２】
［磁気回路の実施例（図４）と比較例（図５〜７）］
図４は、本発明の実施例に係る磁気回路の寸法例とその磁気ギャップ特性を示した説明図である。同図（ａ）は、図２（ｂ）に対応する断面図（各部の符号は省略）であり、同図（ｂ）は、磁気ギャップ１０Ｇの中心を通る前後の軸（Ｌ：単位ｍｍ）における磁束密度（Ｂ：単位Ｔ）を示したグラフである。
【００３３】
この実施例の寸法（単位：ｍｍ）は、ａ１＝φ３７．５，ａ２＝φ３９．９５，ａ３＝φ４３．０５，ａ４＝φ４５，ａ５＝φ６０，ａ６＝φ６５，ａ７＝１１，ａ８＝８．５，ａ９＝８（磁気ギャップ長さ），ａ１０＝５，ａ１１＝３２，ａ１２＝１９．５，ａ１３＝φ６であり、内側，外側共にネオジウムマグネットを使用し、ヨーク：Ｓ１０Ｃ，プレート：ＳＰＨＣを使用したものでる。この実施例における磁気ギャップ１０Ｇの最大磁束密度は１Ｔに近い大きな磁束密度が得られている。
【００３４】
これに対して、図５〜図７に示した比較例は、指示寸法（単位：ｍｍ）以外は図４と同じ寸法を有するもので、内側マグネット１１と外側マグネット１２の各前面が同一平面上になるように設定していないものである（図５；ｂ１＝１２，ｂ２＝１４，ｂ３＝２．５、図６；ｃ１＝１５．５０，ｃ２＝１１．５０、図７；ｄ１＝１７．２５，ｄ２＝９．７５，ｄ３＝１．７５）。何れの比較例も、磁気ギャップ内の磁束密度は実施例における磁気ギャップ１０Ｇの最大磁束密度には及ばない値になっている。
【００３５】
［スピーカ装置の実施形態］
図８は、本発明の実施形態に係るスピーカ装置を示す説明図（斜視部分断面図）であり、図９は、そのスピーカ装置に採用される振動体を示す正面斜視図である。
【００３６】
本発明の実施形態に係るスピーカ装置１００は、音声電流が流れるボイスコイル２０が巻き回されたボイスコイルボビン２１と、内周縁がボイスコイルボビン２１に連結されると共に外周縁がフレーム４０に連結される振動体３０とを備え、振動体３０を振動させるために前述した特徴を有する磁気回路１０を備えている。
【００３７】
振動体３０は、内周縁３０ａがボイスコイルボビン２１に接続され、外周縁３０ｂが半円環状のエッジ３１を介してフレーム４０の支持部４０ａに接続されている。
【００３８】
この振動体３０は、内周縁３０ａと外周縁３０ｂの間に頂部３０ｃが形成され、頂部３０ｃに比べて内周縁３０ａ及び外周縁３０ｂが前側に位置する形態を有する。すなわち、振動体３０は中央部が開口した前面に凸ドーム状の内側部分３０Ａと徐々に径が広がった部分円錐状の外側部分３０Ｂとを頂部３０ｃを境にして備えており、この内側部分３０Ａから頂部３０ｃを介して外側部分３０Ｂに掛けて、振動体３０の半径方向に延在する補強用リブ３２が形成されている。また、内周縁３０ａの外側には前側に凸状の頂部３０ｄが形成されており、この頂部３０ｄと内周縁３０ａとの間にサブコーン部３０Ｄが形成されている。
【００３９】
このサブコーン部３０Ｄの開口角度（半頂角）は、振動体３０が放射する音波の周波数特性を補強する周波数帯域に応じて規定される。上記構成のサブコーン３０Ｄを設けることにより、振動体３０とサブコーン部３０Ｄから所望の周波数特性の音波が放射される。
【００４０】
そして、振動体３０の頂部３０ｃを後側から支えてフレーム４０に支持するダンパ５０を設けている。ダンパ５０は、例えば布に樹脂を含浸して加熱成形されて形成される。ダンパ５０としては、例えば同心円状のコルゲーションを有する円形ダンパ等の各種形状のダンパを採用することができ、ダンパ５０は適度なコンプライアンスと剛性を兼ね備え、ダンパ５０の外周縁がフレーム４０のダンパ支持部４２に連結し、内周縁により振動体３０の頂部３０ｃを支持している。また本実施形態に係るダンパ５０の内周縁は、図３に示すように、前側に向かって屈曲するとともに、振動体３０の傾斜面に沿って屈曲した形状に形成され、接着剤等により頂部３０ｃに固定されているので、確実にダンパ５０の内周縁と、振動体３０の頂部３０ｃとが固定される。
【００４１】
磁気回路１０の構成は前述したとおりであるが、内側マグネット１１及び外側マグネット１２の材料は、例えばネオジム系、サマリウム・コバルト系、アルニコ系、フェライト系磁石等の永久磁石等を採用することができ、ヨーク１３及び内側プレート１４、外側プレート１５の材料は、例えば鉄などの金属や磁性体等を採用することができる。
【００４２】
フレーム４０は、背面平坦部（底部）４１の中央開口部に磁気回路１０が配置されている。また、フレーム４０は、背面平坦部４１の外周から外側に広がって形成され、その途中に形成された段部にダンパ支持部４２が形成されている。また、フレーム４０の支持部４０ａの前面には、エッジ３１の外周縁を押圧支持するように補強枠４３が取り付けられている。
【００４３】
ボイスコイル２０は、例えば電線を円筒形状のボイスコイルボビン２１に巻回されて形成され、ボイスコイルボビン２１に固定されて、少なくともボイスコイル２０の一部が磁気回路１０の磁気ギャップ１０Ｇ内に振動自在に配置される。
【００４４】
センターキャップ部３３は、例えばボイスコイルボビン２１の内径に略等しい外径に形成され、ボイスコイルボビン２１に接着剤等で固着されることにより、ボイスコイルボビン２１に連結される。つまりセンターキャップ部３３は、ボイスコイルボビン２１の放音側端部を覆うように形成されている。
【００４５】
このような本発明の実施形態に係るスピーカ装置１００によると、磁気回路１０において、内側マグネット１１と外側マグネット１２による強力な磁力を内側マグネット１１の前面と外側マグネット１２の前面とを同一面上にしてその直前に形成された磁気ギャップ１０Ｇに作用させることができるので、内側プレート１４と外側プレート１５との間に高い磁束密度の磁気ギャップ１０Ｇを形成することができる。
【００４６】
そして、その磁気ギャップ１０Ｇ内に配置されるボイスコイル２０に流れる音声電流の出力を大きくするとボイスコイルボビン２１を大きく振動させることができるが、磁気ギャップ１０Ｇの後方にはヨーク１３によって窪んだ空間１３Ｓが形成されているので、ボイスコイルボビン２１の大きな振幅を許容することが可能になり、振動体３０を大きく振動させる低音の大音響を発生させることができる。
【００４７】
また、ボイスコイルボビン２１の大きな振動ストロークを確保できるので、ボイスコイル２０をロングボイスコイル方式にして、音響特性の歪み等の問題を解消することができる。
【００４８】
また、振動体３０は、内周縁３０ａと外周縁３０ｂの間に頂部３０ｃが形成され、頂部３０ｃに比べて内周縁３０ａ及び外周縁３０ｂが前側に位置する形態であるため、広い振動面積を確保しながら、振動体３０全体の前後方向の嵩を小さくすることができる。そして、中央の凸ドーム状の内側部分３０Ａ内に磁気ギャップ１０Ｇが配置されるので、スピーカ装置１００全体の奥行きをコンパクトに納めることができる。
【００４９】
更に、振動体３０には、振動体３０の半径方向に延在する補強用リブが形成されているので、大面積の振動体３０を大きく振動させた場合にも振動体３０が破損するのを防ぐことができる。
【００５０】
また、振動体３０の頂部３０ｃをフレーム４０に支持するダンパ５０を設けることにより、ダンパ５０が直接ボイスコイルボビン２１を支持する場合と比較して、ボイスコイルボビン２１の振動抵抗を減らすことができる。
【図面の簡単な説明】
【００５１】
【図１】従来技術の説明図である。
【図２】本発明の一実施形態に係るスピーカ用磁気回路を示す説明図であって、同図（ａ）は部分断面斜視図、同図（ｂ）は縦断面図である。
【図３】本発明の実施形態に係る磁気回路の機能を示す説明図である。
【図４】本発明の実施例に係る磁気回路の寸法例とその磁気ギャップ特性を示した説明図である。同図（ａ）は、図２（ｂ）に対応する断面図（各部の符号は省略）であり、同図（ｂ）は、磁気ギャップ１０Ｇの中心を通る前後の軸（Ｌ：単位ｍｍ）における磁束密度（Ｂ：単位Ｔ）を示したグラフである。
【図５】本発明の実施例に係る磁気回路に対する比較例を示した説明図である。
【図６】本発明の実施例に係る磁気回路に対する比較例を示した説明図である。
【図７】本発明の実施例に係る磁気回路に対する比較例を示した説明図である。
【図８】本発明の実施形態に係るスピーカ装置を示す説明図（斜視部分断面図）である。
【図９】本発明の実施形態に係るスピーカ装置に採用される振動体を示す正面斜視図である。
【符号の説明】
【００５２】
１０    磁気回路
１０Ｇ    磁気ギャップ
１１    内側マグネット
１１ａ    前面
１２    外側マグネット
１２ａ    前面
１３    ヨーク
１３ａ    第一支持面
１３ｂ    第二支持面
１３Ｓ    空間
１４    内側プレート
１５    外側プレート
２０    ボイスコイル
２１    ボイスコイルボビン
３０    振動体
３０ａ    内周縁
３０ｂ    外周縁
３０ｃ，３０ｄ    頂部
３０Ａ    内側部分
３０Ｂ    外側部分
３０Ｄ    サブコーン部
４０    フレーム
５０    ダンパ
【図１】
2008085577.tif 000003
【図２】
2008085577.tif 000004
【図３】
2008085577.tif 000005
【図４】
2008085577.tif 000006
【図５】
2008085577.tif 000007
【図６】
2008085577.tif 000008
【図７】
2008085577.tif 000009
【図８】
2008085577.tif 000010
【図９】
2008085577.tif 000011